(57)【要約】【課題】  幅の異なる２種類以上の光ファイバに対応した光ファイバ挿入治具の提供。【解決手段】  光コネクタ保持部１４に保持された光コネクタ１の中心軸線４方向の延長上に延びるように基台１１の上面１２に形成された光ファイバ案内溝２０は、その側部が階段状に形成されることにより、溝幅が異なる複数の内部案内溝２１，２２が基台１１の上下方向に並ぶように形成されており、各内部案内溝２１，２２の光ファイバ載せ面２１ｂ，２２ｂを形成する段のうち、下側の段２２ｂは、光ファイバ案内溝２０の光コネクタ保持部１４側に設けられ且つ該光コネクタ保持部１４に向かって上り勾配となった傾斜面２３によって該段２２ｂよりも上側の段２１ｂの高さに達している光ファイバ挿入治具１０を用いる。各内部案内溝２１，２２により、幅の異なる２種類以上の光ファイバに対応して挿入作業を行うことができる。【選択図】  図１
2005164865.tif 000002
【特許請求の範囲】
【請求項１】
光コネクタ（１）に光ファイバ（８，９）を挿入するための光ファイバ挿入治具であって、
光コネクタを着脱自在に保持する光コネクタ保持部（１４）が基台（１１）の一端部（１１ａ）に設けられ、光ファイバ案内溝（２０）が該光コネクタ保持部に保持された光コネクタの中心軸線（４）方向の延長上に延びるように前記基台の上面（１２）に形成され、
前記光ファイバ案内溝は、その側部が階段状に形成されることにより、溝幅が異なる複数の内部案内溝（２１，２２）が基台の上下方向に並ぶように形成されており、
各内部案内溝の光ファイバ載せ面を形成する段のうち、下側の段（２２ｂ）は、前記光ファイバ案内溝の光コネクタ保持部側に設けられ且つ該光コネクタ保持部に向かって上り勾配となった傾斜面（２３）によって、該段よりも上側の段（２１ｂ）の高さに達していることを特徴とする光ファイバ挿入治具（１０）。
【請求項２】
前記光ファイバ案内溝の延在方向と平行に延びるように前記基台の側部に設けられた軸（１５）と、該軸に沿うスライドを許容するように該軸に軸支され、光ファイバ案内溝上に配置された光ファイバを押さえるための押さえ部材（１６）を具備することを特徴とする請求項１に記載の光ファイバ挿入治具。
【請求項３】
光部品（１）に光ファイバ（８，９）を挿入するための光ファイバ挿入治具であって、
光部品を着脱自在に保持する光部品保持部（１４）が基台（１１）の一端部（１１ａ）に設けられ、光ファイバ案内溝（２０）が該光部品保持部に保持された光部品の中心軸線（４）方向の延長上に延びるように前記基台の上面（１２）に形成され、
前記光ファイバ案内溝は、その側部が階段状に形成されることにより、溝幅が異なる複数の内部案内溝（２１，２２）が基台の上下方向に並ぶように形成されており、
各内部案内溝の光ファイバ載せ面を形成する段のうち、下側の段（２２ｂ）は、前記光ファイバ案内溝の光部品保持部側に設けられ且つ該光部品保持部に向かって上り勾配となった傾斜面（２３）によって、該段よりも上側の段（２１ｂ）の高さに達していることを特徴とする光ファイバ挿入治具（１０）。
【発明の詳細な説明】
【技術分野】
【０００１】
本発明は、光ファイバを挿入するために用いられる光ファイバ挿入治具に関する。
【背景技術】
【０００２】
光コネクタに光ファイバを挿入するため、光コネクタを所定の姿勢に固定するとともに該光コネクタに対して光ファイバを位置決めして挿入できるようにした光ファイバ挿入治具が各種開発されている。これらの光ファイバ挿入治具は、光コネクタに向かって延びる光ファイバ案内溝を有しており、該光ファイバ案内溝に沿って光ファイバをスライドさせることにより、光ファイバを位置決めして光コネクタに挿入することができるようになっている（例えば、特許文献１，２参照）。
【特許文献１】特開平５−２５７０３７号公報
【特許文献２】特開２００３−３０７６５０号公報
【発明の開示】
【発明が解決しようとする課題】
【０００３】
従来の光ファイバ挿入治具においては、光ファイバ案内溝の幅は光ファイバの幅に合わせる必要がある。従って、幅の異なる光ファイバを取り扱うためには、それぞれ別の光ファイバ挿入治具を用意する必要があった。
【０００４】
本発明は、上記事情に鑑みてなされたものであり、幅の異なる２種類以上の光ファイバに対応した光ファイバ挿入治具を提供することを課題とする。
【課題を解決するための手段】
【０００５】
前記課題を解決するため、本発明は、光コネクタに光ファイバを挿入するための光ファイバ挿入治具であって、光コネクタを着脱自在に保持する光コネクタ保持部が基台の一端部に設けられ、光ファイバ案内溝が該光コネクタ保持部に保持された光コネクタの中心軸線方向の延長上に延びるように前記基台の上面に形成され、前記光ファイバ案内溝は、その側部が階段状に形成されることにより、溝幅が異なる複数の内部案内溝が基台の上下方向に並ぶように形成されており、各内部案内溝の光ファイバ載せ面を形成する段のうち、下側の段は、前記光ファイバ案内溝の光コネクタ保持部側に設けられ且つ該光コネクタ保持部に向かって上り勾配となった傾斜面によって、該段よりも上側の段の高さに達していることを特徴とする光ファイバ挿入治具を提供する。
この光ファイバ挿入治具においては、前記光ファイバ案内溝の延在方向と平行に延びるように前記基台の側部に設けられた軸と、該軸に沿うスライドを許容するように該軸に軸支され、光ファイバ案内溝上に配置された光ファイバを押さえるための押さえ部材を具備した構成も採用可能である。
また、本発明は、光部品に光ファイバを挿入するための光ファイバ挿入治具であって、光部品を着脱自在に保持する光部品保持部が基台の一端部に設けられ、光ファイバ案内溝が該光部品保持部に保持された光部品の中心軸線方向の延長上に延びるように前記基台の上面に形成され、前記光ファイバ案内溝は、その側部が階段状に形成されることにより、溝幅が異なる複数の内部案内溝が基台の上下方向に並ぶように形成されており、各内部案内溝の光ファイバ載せ面を形成する段のうち、下側の段は、前記光ファイバ案内溝の光部品保持部側に設けられ且つ該光部品保持部に向かって上り勾配となった傾斜面によって、該段よりも上側の段の高さに達していることを特徴とする光ファイバ挿入治具を提供する。
【発明の効果】
【０００６】
本発明によれば、溝幅の異なる複数の内部案内溝が基台の上下方向に並ぶように形成されているので、基台の寸法を大きくすることなく、幅の異なる２種類以上の光ファイバに対応して挿入作業を行うことができる。
各内部案内溝の光ファイバ載せ面を形成する段のうち下側の段が傾斜面によって上側の段の高さに達しているので、下側の内部案内溝に案内される光ファイバが傾斜面に沿ってスライドすることにより、下側の内部案内溝に案内される光ファイバが光ファイバ案内溝から光コネクタ（光部品）に向かって出て行く高さと、上側の内部案内溝に案内される光ファイバが光ファイバ案内溝から光コネクタ（光部品）に向かって出て行く高さとが同程度になり、光コネクタ保持部（光部品保持部）に保持された光コネクタ（光部品）の高さを変えなくとも、光ファイバを的確に光コネクタ（光部品）へと誘導することができる。
基台の側部の軸に沿ってスライド可能な押さえ部材を設けた場合、光ファイバが基台の上面から浮き上がったり光ファイバ案内溝から外れたりすることがなく、光ファイバを光コネクタ（光部品）に向かう適切な向きに駆動することができる。
【発明を実施するための最良の形態】
【０００７】
以下、最良の形態に基づき、図面を参照して本発明を説明する。
図１（ａ）は、本発明の一形態例に係る光ファイバ挿入治具を示す平面図である。図１（ｂ）は、図１（ａ）のＢ−Ｂ線に沿う断面図である。図１（ｃ）は、図１（ａ）のＣ−Ｃ線に沿う断面図である。図２は、図１に示す光ファイバ挿入治具の背面図である。図３は、図１に示す光ファイバ挿入治具の正面図である。図４は、図１に示す光ファイバ挿入治具の光ファイバ案内溝の拡大断面図である。図５は、図１に示す光ファイバ挿入治具の斜視図である。
本形態例では、光部品が光コネクタである例を示す。
【０００８】
図６は、下側の内部案内溝の光ファイバ載せ面に光ファイバが載せられて押さえ部材に押さえられた状態を説明する断面図である。図７は、上側の内部案内溝の光ファイバ載せ面に光ファイバが載せられて押さえ部材に押さえられた状態を説明する断面図である。図８は、下側の内部案内溝に光ファイバが案内されて光コネクタに挿入される様子を説明する断面図である。図９は、上側の内部案内溝に光ファイバが案内されて光コネクタに挿入される様子を説明する断面図である。図１０は、光コネクタのフェルールの一例を示す縦断面図である。
【０００９】
図５，図１０に示すように、本形態例の光ファイバ挿入治具１０が適用される光コネクタ１は、ＪＩＳ  Ｃ  ５９８１等に規定されるＭＴ形光コネクタ（ＭＴ：Mechanically Transferable）である。この光コネクタ１は、接合端面２ａを有するフェルール２と、該フェルール２の接合端面２ａと反対側の後端面２ｈ側の開口部２ｉに装着されたブーツ３とを有する。
この光コネクタ１は、図６，図７に断面構造を示すようなテープ心線８，９（テープ形光ファイバ心線）の先端に組み立てることができる。テープ心線８，９は、複数の光ファイバ６（光ファイバ素線）をポリアミドやポリエステル等の一括被覆７（二次被覆）により一括に被覆したものである。光ファイバ素線６としては、例えば石英系光ファイバからなる裸光ファイバ５の外周にＵＶ硬化樹脂などの樹脂被覆を設けたものが用いられる。
本形態例では、幅が異なる光ファイバとして、幅が狭い方の光ファイバが４心のテープ心線であり、幅が広い方の光ファイバが８心のテープ心線である場合を例示する。なお、光ファイバの心数は４心や８心に限定されるものではない。他の心数（例えば１心、２心、１０心、１２心、１６心など）や組み合わせであっても本発明を適用することが可能である。
【００１０】
フェルール２内には、後端面２ｈ側の開口部２ｉからつながった内部空間２ｇが設けられており、この内部空間２ｇと接合端面２ａとの間には裸光ファイバ５が挿入される光ファイバ挿入穴（微細孔）２ｂが複数形成されている。内部空間２ｇの底部には、光ファイバ挿入穴２ｂに裸光ファイバ５を誘導するガイド溝２ｄが形成されている。接合端面２ａには、光ファイバ挿入穴２ｂの両側にガイドピン穴２ｃが開口している。これらガイドピン穴２ｃは、接合端面２ａと後端面２ｈとの間を貫通して延びている。
フェルール２の上面には内部空間２ｇに連通する窓２ｅが開口している。フェルール２の側部外面には外方に突出するフランジ２ｆが形成されている。
【００１１】
図１〜図５に示すように、本形態例に係る光ファイバ挿入治具１０は、基台１１と、該基台１１の一端部１１ａ（以下、１１ａを基台の前端部ということがある）に設けられ光コネクタ１を着脱自在に保持する光コネクタ保持部１４と、基台１１の一側部に設けられた軸１５に軸支された押さえ部材１６，１７とを具備する。
基台１１の上面１２には、光ファイバの光コネクタ１への挿入を案内するための光ファイバ案内溝２０が形成されている。この光ファイバ案内溝２０は、光コネクタ保持部１４に保持された光コネクタ１の中心軸線４方向の延長上に延びており、一端２０ａは基台１１の前端部１１ａに通じており、他端２０ｂは基台１１の後端部１１ｂに通じている。
また、基台１１の上面１２には、基台１１の前端部１１ａ、後端部１１ｂ、側部の仕切り１８の位置に対応して、それぞれ光ファイバ案内溝２０を横切る方向に延びる突条１２ａ，１２ｂ，１２ｃが突設されている。これら突条１２ａ，１２ｂ，１２ｃは、光ファイバ案内溝２０の箇所で中断している。
【００１２】
図４に示すように、光ファイバ案内溝２０は、その側部が階段状に形成されることにより、溝幅（光ファイバ位置決め面同士の間隔）が異なる複数（ここでは２段）の内部案内溝２１，２２が基台１１の上下方向（図５，６の上下方向）に並ぶように形成されている。つまり、最も低い段となる底面２２ｂが下側の内部案内溝２２の光ファイバ載せ面２２ｂを形成し、側部の中段２１ｂが上側の内部案内溝２１の光ファイバ載せ面２１ｂを形成し、側部の中段２１ｂよりも下側の側面２２ａが下側の内部案内溝２２の光ファイバ位置決め面２２ａを形成し、側部の中段２１ｂよりも上側の側面２２ａが上側の内部案内溝２１の光ファイバ位置決め面２１ａを形成するようになっている。上側の内部案内溝２１の光ファイバ載せ面２１ｂは、下側の内部案内溝２２の両側に設けられている。
ここでは、下側の内部案内溝２２は幅が狭い方のテープ心線９の幅に、上側の内部案内溝２１は幅が広いほうのテープ心線８の幅に対応するように形成されている。つまり、下側の内部案内溝ほど、幅が狭い光ファイバに対応するようになっている。
光ファイバ位置決め面２１ａ，２２ａの高さは、光ファイバの幅方向の位置決めができれば特に限定されるものではないが、例えば、０．２ｍｍとすることができる。
【００１３】
また、光ファイバ案内溝２０の光コネクタ保持部１４側には、上下の内部案内溝２１，２２の光ファイバ載せ面２１ｂ，２２ｂの間を渡すように光コネクタ保持部１４に向かって上り勾配となった傾斜面２３が形成されている。これによって、下側の内部案内溝２２の光ファイバ載せ面２２ｂは、傾斜面２３を介して、上側の内部案内溝２１の光ファイバ載せ面２１ｂの高さに達するようになっている。
傾斜面２３の傾斜角度は、光ファイバの先端が光コネクタ１の後端部の開口部２ｉに入りやすいような角度に設定すると良い。傾斜面２３の長さは、特に限定されるものではないが、例えば７ｍｍとすることができる。
なお、傾斜面２３は、図８，図９に示すように、下側の内部案内溝２２に案内される光ファイバ９が光ファイバ案内溝２０から光コネクタ１に向かって出て行く高さと、上側の内部案内溝２１に案内される光ファイバ８が光ファイバ案内溝２０から光コネクタ１に向かって出て行く高さとが同程度になればよい。ここでは、傾斜面２３の上端が光ファイバ案内溝２０の光コネクタ保持部１４側の一端２０ａに一致しているように図示しているが、特にこれに限定されるものではない。例えば、傾斜面２３の上端と光ファイバ案内溝２０の一端２０ａとの間に上側の光ファイバ載せ面２１ａと同じ高さの面が存在しても良い。
【００１４】
光コネクタ保持部１４は、ここではピン１４ａが突設された一対のブロック１４ｂであり、ブロック１４ｂは基台１１の一端部１１ａに形成された凹部１３に固定及び配置されている。光コネクタ１は、光コネクタ保持部１４のピン１４ａを光コネクタ１のフェルール２の前後に貫通したガイドピン穴２ｃにフェルール２の後端側から差し込むことにより、光コネクタ保持部１４に着脱可能に保持されるようになっている。ピン１４ａ同士の間隔は、ガイドピン穴２ｃ同士の間隔に一致されている。
また、ピン１４ａは、光ファイバ案内溝２０の延長線上の両側に対称に配置されている。これにより、光ファイバ案内溝２０は光コネクタ１の中心軸線４の方向の延長上に位置するように位置合わせされている。
【００１５】
図１，図２，図５に示すように、基台１１の側部には、光ファイバ案内溝２０の延在方向（図１（ａ）の左右方向）と平行に延びる軸１５が装着されており、この軸１５は基台１１の上面１２から凹陥した凹部１８ａ，１８ｂのところで露出されている。また、両凹部１８ａ，１８ｂの間には突片状の仕切り１８が形成されている。
【００１６】
軸１５には、光ファイバ案内溝２０上に配置された光ファイバを押さえるための押さえ部材１６，１７が回動可能に軸支されている（図１（ｃ）参照）。光コネクタ保持部１４側に配置された一方の押さえ部材１６は、仕切り１８と基台１１の前端部１１ａとの間に配置されている。また、他方の押さえ部材１７は、仕切り１８と基台１１の後端部１１ｂとの間に配置されている。
【００１７】
押さえ部材１６，１７は、それぞれ、軸１５が挿通される基部１６ａ，１７ａと該基部１６ａ，１７ａから延びる板状の蓋部１６ｂ，１７ｂとを有する。蓋部１６ｂ，１７ｂは、軸１５周りの回動により、基台１１の上面１２と向かい合うようになっている。蓋部１６ｂ，１７ｂは、基台１１の上面１２と向かい合う側の面に形成された窪み１６ｃ，１７ｃに、ゴム等の緩衝部材１６ｄ，１７ｄが固着されている。緩衝部材１６ｄ，１７ｄは、蓋部１６ｂ，１７ｂが基台１１の上面１２と向かい合ったときに光ファイバ案内溝２０の上を覆う箇所に配置されており、光ファイバ案内溝２０と蓋部１６ｂ，１７ｂとの間に光ファイバを挟んだ際に光ファイバは、緩衝部材１６ｄ，１７ｄと当接するようになっている。これにより、光ファイバの損傷を抑制できる。
【００１８】
一方の押さえ部材１６は、仕切り１８よりも基台１１の前端部１１ａ側の間の範囲において、軸１５に沿うスライドが許容されており、該押さえ部材１６の蓋部１６ｂは、基台１１の前端側の突条１２ａと中間部の突条１２ｃとの間の範囲を移動しうる。
他方の押さえ部材１７は、特に軸１５に沿ってスライドするようにはなっておらず、その蓋部１７ｂは、基台１１の後端側の突条１２ｂと中間部の突条１２ｃとの間に配置される。
【００１９】
基台１１には、他方の押さえ部材１７の蓋部１７ｂに対向する位置に磁石１９が設けられている。これにより、押さえ部材１７を基台１１の上面１２に向かい合わせたときに、磁石１９による吸引力によって押さえ部材１７と基台１１の上面１２との間に光ファイバを挟み込む押圧力が作用するようになっている。この押圧力は、光ファイバのスライド移動を阻害しない程度である。
【００２０】
以下、本形態例の光ファイバ挿入治具１０の使用手順を例示して説明する。
まず、図５に示すように、フェルール２のガイドピン穴２ｃにピン１４ａを差し込むことにより、光コネクタ１を光コネクタ保持部１４に保持する。また、光ファイバ９を口出し（先端部の被覆の除去）して裸光ファイバ５を露出させる。
次いで裸光ファイバ５が光コネクタ保持部１４の側に向くように光ファイバ９を光ファイバ案内溝２０の光ファイバ載せ面２２ｂに載せ、押さえ部材１６，１７を閉じて光ファイバ９を押さえ込む（図６参照）。ここでは光ファイバ９は４心のテープ心線（幅が狭い方の光ファイバ）であり、下側の内部案内溝２２の光ファイバ位置決め面２２ａによって幅方向の位置決めがなされる。
【００２１】
次いで、図８に示すように、光コネクタ保持部１４側の押さえ部材１６を光コネクタ保持部１４側に向けてスライドさせることにより、光ファイバ９は押さえ部材１６との摩擦によって駆動され、光ファイバ載せ面２２ｂおよび傾斜面２３の上をスライド移動し、光ファイバ案内溝２０から押し出されて光コネクタ１に挿入される。
押さえ部材１６による挿入は、少なくとも裸光ファイバ５がフェルール２内のガイド溝２ｄに達したところまで行えばよい。ガイド溝２ｄから光ファイバ挿入穴２ｂまでの光ファイバ９の誘導は、該光ファイバ９をさらに押し込むことによって、容易に行われる。
以上のような手順により、光ファイバ９を位置決めして光コネクタ１に挿入することができる。また、この際、光コネクタ１の後端部等に対して裸光ファイバ５がぶつかって曲がったり損傷したりすることがない。
【００２２】
光ファイバが８心のテープ心線８（幅が広い方の光ファイバ）である場合も、同様の手順により光コネクタ１に挿入することができる。この場合は、図７，図９に示すように、光ファイバ８は上側の内部案内溝２１の光ファイバ載せ面２１ｂに載せられ、該内部案内溝２１の光ファイバ位置決め面２１ａによって幅方向に位置決めされる。
【００２３】
本形態例の光ファイバ挿入治具によれば、溝幅の異なる複数の内部案内溝が基台の上下方向に並ぶように形成されているので、基台の寸法を大きくすることなく、幅の異なる２種類以上の光ファイバに対応して挿入作業を行うことができる。作業性に優れる上、経済的でありコスト面で有利である。
下側の光ファイバ載せ面が傾斜面によって上側の光ファイバ載せ面の高さに達しているので、下側の内部案内溝に案内される光ファイバが傾斜面に沿ってスライドすることにより、下側の内部案内溝に案内される光ファイバが光ファイバ案内溝から光コネクタに向かって出て行く高さと、上側の内部案内溝に案内される光ファイバが光ファイバ案内溝から光コネクタに向かって出て行く高さとが同程度になる。従って、光コネクタ保持部に保持された光コネクタの高さを変えなくとも、光ファイバを的確に光コネクタへと誘導することができる。
【００２４】
光ファイバの押し込みを基台側部の軸に沿ってスライドする一方の押さえ部材によって行うことができるので、光ファイバが基台の上面から浮き上がったり光ファイバ案内溝から外れたりすることがなく、光ファイバを光コネクタに向かう適切な向きに駆動することができる。さらに、挿入作業の間、他方の押さえ部材が光ファイバを押さえ続けているので、両方の押さえ部材によって光ファイバを確実に押さえることができ、光ファイバが基台の上面から浮き上がったり光ファイバ案内溝から外れたりすることがない。
【００２５】
以上、本発明を好適な実施の形態に基づいて説明してきたが、本発明は上述の実施の形態に限定されるものではなく、本発明の要旨を逸脱しない範囲で種々の改変が可能である。
本発明は、単心光ファイバにも多心光ファイバにも対応可能であり、幅が異なる光ファイバの組み合わせを適宜選択することにより本発明を適用することができる。光コネクタの種類も特に限定されるものではない。
本発明は、光コネクタ、光ファイバアレイ、メカニカルスプライスなどの光部品に光ファイバを位置決めして挿入するために用いることができる。
光コネクタ保持部、光部品保持部の構成は、光ファイバの挿入作業の間に光コネクタ等の光部品を着脱可能に保持可能なものであれば特に限定されることなく、光コネクタ等の光部品の種類等に応じた構成を採用することができる。
光ファイバ案内溝は、内部案内溝を３段以上有していてもよい。
本発明は、例えば、融着機などにおいて、左右の光ファイバを位置決めするための治具に適用することができる。本発明は、光ファイバホルダ等に適用することができる。
【００２６】
本発明は、光ファイバ案内溝に特徴を有するものである。光部品（光コネクタ等）保持部の位置は、基台の一端部になくともよい。例えば光部品保持部が基台の中央部にあって、光ファイバ案内溝が光部品保持部の両側にある構成にも適用可能である。本発明は、基台の上面に光ファイバ案内溝が形成されており、光ファイバ案内溝の一端またはその延長上に光部品を着脱自在に保持する光部品保持部が設けられており、前記光ファイバ案内溝は、その側部が階段状に形成されることにより、溝幅が異なる複数の内部案内溝が基台の上下方向に並ぶように形成されており、各内部案内溝の光ファイバ載せ面を形成する段のうち、下側の段は、前記光ファイバ案内溝の光部品保持部側に設けられ且つ該光部品保持部に向かって上り勾配となった傾斜面によって、該段よりも上側の段の高さに達していることを特徴とする光ファイバ挿入治具とすることができる。
光部品の他、例えば機器に取り付けられたＶ溝台等、光ファイバが挿入される種々の構造物に適用することもできる。また、光ファイバが挿入される構造物が光ファイバ案内溝を有する基台と一体化されていることもありうる。
【産業上の利用可能性】
【００２７】
本発明は、光ファイバを位置決めして光コネクタ、光部品等に挿入するために用いることができる。光コネクタ、光部品の組立等に利用することができる。
【図面の簡単な説明】
【００２８】
【図１】（ａ）本発明の光ファイバ挿入治具の一例を示す平面図である。（ｂ）Ｂ−Ｂ線に沿う断面図である。（ｃ）Ｃ−Ｃ線に沿う断面図である。
【図２】図１に示す光ファイバ挿入治具の背面図である。
【図３】図１に示す光ファイバ挿入治具の正面図である。
【図４】図１に示す光ファイバ挿入治具の光ファイバ案内溝の拡大断面図である。
【図５】図１に示す光ファイバ挿入治具の斜視図である。
【図６】下側の内部案内溝の光ファイバ載せ面に光ファイバが載せられて押さえ部材に押さえられた状態を説明する断面図である。
【図７】上側の内部案内溝の光ファイバ載せ面に光ファイバが載せられて押さえ部材に押さえられた状態を説明する断面図である。
【図８】下側の内部案内溝に光ファイバが案内されて光コネクタに挿入される様子を説明する断面図である。
【図９】上側の内部案内溝に光ファイバが案内されて光コネクタに挿入される様子を説明する断面図である。
【図１０】光コネクタのフェルールの一例を示す縦断面図である。
【符号の説明】
【００２９】
１…光コネクタ（光部品）、４…光コネクタの中心軸線、８，９…光ファイバ、１１…基台、１１ａ…基台の一端部（前端部）、１２…基台の上面、１４…光コネクタ保持部（光部品保持部）、１５…軸、１６…押さえ部材、２０…光ファイバ案内溝、２１…上側の内部案内溝、２１ｂ…上側の内部案内溝の光ファイバ載せ面（段）、２２…上側の内部案内溝、２２ｂ…上側の内部案内溝の光ファイバ載せ面（段）、２３…傾斜面。
【図１】
2005164865.tif 000003
【図２】
2005164865.tif 000004
【図３】
2005164865.tif 000005
【図４】
2005164865.tif 000006
【図５】
2005164865.tif 000007
【図６】
2005164865.tif 000008
【図７】
2005164865.tif 000009
【図８】
2005164865.tif 000010
【図９】
2005164865.tif 000011
【図１０】
2005164865.tif 000012